【手続補正書】
【提出日】平成21年11月6日(2009.11.6)
【手続補正１】
【補正対象書類名】特許請求の範囲
【補正対象項目名】全文
【補正方法】変更
【補正の内容】
【特許請求の範囲】
【請求項１】
天井下地材によって枠組みされる天井構造枠を、要所に配置される吊ボルトに、吊金具を介して吊り下げ支持させることにより構築される吊天井に用いられる補強金具であって、
前記吊ボルトから前記天井下地材に至る範囲で形成されて、前記天井下地材に沿わされるように宛がわれて取り付けられる補強面部を備え、
前記補強面部は、下端縁側における縁方向中央部位に、下方に向けて開口させた凹欠部を備えて、前記天井構造枠を枠組みするメインバーとクロスバーとの連結交差部において、前記メインバーを介して直線状に接続される両クロスバーに、前記メインバーを跨いだ状態で宛がわれるように形成されていることを特徴とする吊天井の補強金具。
【請求項２】
天井下地材によって枠組みされる天井構造枠を、要所に配置される吊ボルトに、吊金具を介して吊り下げ支持させることにより構築される吊天井に用いられる補強金具であって、
前記吊金具に宛がわれるとともに、前記天井下地材に沿わされるように宛がわれて取り付けられる補強面部を備え、
前記補強面部は、下端縁側における縁方向中央部位に、下方に向けて開口させた凹欠部を備えて、前記天井構造枠を枠組みするメインバーとクロスバーとの連結交差部において、前記メインバーを介して直線状に接続される両クロスバーに、前記メインバーを跨いだ状態で宛がわれるように形成されていることを特徴とする吊天井の補強金具。
【請求項３】
前記補強面部が、前記天井下地材に取り付けられる下端縁側に至る範囲で幅広状に形成されていることを特徴とする請求項１又は請求項２に記載の吊天井の補強金具。
【請求項４】
前記補強面部は、前記クロスバーの上辺縁部を挟み込むように保持する挟持部を備えていることを特徴とする請求項１から請求項３のいずれか１項に記載の吊天井の補強金具。
【請求項５】
前記補強面部は、前記吊ボルトの間に斜めに取り付けられるブレース材の傾斜下端側を取り付けるブレース取付部を兼ねることを特徴とする請求項１から請求項４のいずれか1項に記載の吊天井の補強金具。
【請求項６】
前記補強面部の上端に、前記吊ボルトに取り付けられる取付部をさらに備えることを特徴とする請求項１から請求項６のいずれか１項に記載の吊天井の補強金具。
【手続補正２】
【補正対象書類名】明細書
【補正対象項目名】００１５
【補正方法】変更
【補正の内容】
【００１５】
前記課題を解決するために、請求項１では、天井下地材によって枠組みされる天井構造枠を、要所に配置される吊ボルトに、吊金具を介して吊り下げ支持させることにより構築される吊天井に用いられる補強金具であって、前記吊ボルトから前記天井下地材に至る範囲で形成されて、前記天井下地材に沿わされるように宛がわれて取り付けられる補強面部を備え、前記補強面部は、下端縁側における縁方向中央部位に、下方に向けて開口させた凹欠部を備えて、前記天井構造枠を枠組みするメインバーとクロスバーとの連結交差部において、前記メインバーを介して直線状に接続される両クロスバーに、前記メインバーを跨いだ状態で宛がわれるように形成されている。
また、請求項２では、天井下地材によって枠組みされる天井構造枠を、要所に配置される吊ボルトに、吊金具を介して吊り下げ支持させることにより構築される吊天井に用いられる補強金具であって、前記吊金具に宛がわれるとともに、前記天井下地材に沿わされるように宛がわれて取り付けられる補強面部を備え、前記補強面部は、下端縁側における縁方向中央部位に、下方に向けて開口させた凹欠部を備えて、前記天井構造枠を枠組みするメインバーとクロスバーとの連結交差部において、前記メインバーを介して直線状に接続される両クロスバーに、前記メインバーを跨いだ状態で宛がわれるように形成されていることを特徴とする。
ここで、前記天井下地材への補強面部の取り付けとしては、天井下地材の材質と補強面部の材質とが同じ場合には溶接による取り付けも可能ではあるが、ネジ止めによる取り付けが好適なものとなる。また、前記補強面部を、前記天井下地材に取り付けられる下端縁側に至る範囲で幅広状に形成することが好適なものとなる（請求項３）。
【手続補正３】
【補正対象書類名】明細書
【補正対象項目名】００１６
【補正方法】変更
【補正の内容】
【００１６】
請求項１，２に記載の構成によれば、天井構造枠を枠組みする天井下地材に取り付けられる補強面部を備える補強金具によって、吊ボルトと天井構造枠との繋がり強度を吊金具とによって強化することができる。換言すれば、天井構造枠の耐震性を強化することができる。
そして、天井構造枠を枠組みする天井下地材がメインバーとクロスバーとからなる場合、このメインバーとクロスバーとの連結交差部において、例えば板材からなる吊金具の面内（板幅）方向に対し、補強面部の面内（板幅）方向が直交するように、該補強面部をクロスバーまたはメインバーにネジ止めにて取り付けることで、前記した繋がり強度の強化に加えて、板材からなるが故に面内（板幅）方向に比べて耐震性が劣る吊金具の面外（板厚）方向の横揺れに対する耐震性を補強面部によって強化することができる。
また、請求項１，２に記載の構成によれば、メインバーとクロスバーとの連結交差部において、凹欠部によってメインバーを介して直線状に接続組み付けられる両クロスバー間にわたり幅広状の補強面部を確実に沿わせて宛がうことができる。それにより、補強面部を両クロスバーにネジ止めなどによって取り付け、クロスバー同士の連結状態を強化することができる。
しかも、請求項３に記載のように構成することにより、幅広状の補強面部の面内（板幅）方向が、吊金具の面内（板幅）方向に対して直交するように、補強面部をクロスバーまたはメインバーにネジ止めにて取り付けることで、吊金具の面外（板厚）方向の横揺れに対する耐震性をより一層効果的に強化することができる。
【手続補正４】
【補正対象書類名】明細書
【補正対象項目名】００１７
【補正方法】変更
【補正の内容】
【００１７】
なお、前記補強面部の上端に、前記吊ボルトに取り付けられる取付部をさらに備えるのが好ましい（請求項６）。また、前記取付部が、一端を開放させた平面視ほぼＵ字状に形成されたボルト挿通部を備えているのが好ましい。
【手続補正５】
【補正対象書類名】明細書
【補正対象項目名】００１８
【補正方法】変更
【補正の内容】
【００１８】
請求項６に記載の構成によれば、吊金具を吊ボルトに取り付けているナットを緩め、このナットと前記吊金具の取付部との間に介在させることによって、補強金具を追加取り付けることができる。つまり、後付け工法によって既設の吊天井の吊金具に簡単に耐震性を付与し、吊金具の耐震強度を効果的に強化することができる。
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】変更
【補正の内容】
【００２１】
また、請求項４では、前記補強面部が、前記クロスバーの上辺縁部を挟み込むように保持する挟持部を備えている。
【手続補正９】
【補正対象書類名】明細書
【補正対象項目名】００２２
【補正方法】変更
【補正の内容】
【００２２】
請求項４に記載の構成によれば、クロスバーの上辺縁部に挟持部を挟み込み保持させた状態で、該クロスバーまたはメインバーに補強面部を取り付けることができる。
つまり、前記した請求項１に記載の補強面部をクロスバーまたはメインバーにネジ止めするこのネジ止め作用と、挟持部によるクロスバーまたはメインバーの保持作用との相乗作用によって補強面部をクロスバーまたはメインバーに強靭に取り付けることができる。換言すれば、クロスバーまたはメインバーを補強金具に対し、強靭に取付支持させることができる。
【手続補正１０】
【補正対象書類名】明細書
【補正対象項目名】００２３
【補正方法】変更
【補正の内容】
【００２３】
請求項５では、前記補強面部は、前記吊ボルトの間に斜めに取り付けられるブレース材の傾斜下端側を取り付けるブレース取付部を兼ねることを特徴とする。
ここで、前記補強面部に対するブレース材の取り付けとしては特に限定されるものではないが、溶接またはネジ止めなどが挙げられる。
【手続補正１１】
【補正対象書類名】明細書
【補正対象項目名】００２４
【補正方法】変更
【補正の内容】
【００２４】
請求項５に記載の発明によれば、ブレース材の傾斜下端側を、吊ボルトに吊金具と共に取り付けられる補強金具の補強面部に取り付けることで、ブレース材による補強位置を吊金具による天井構造枠の挟持部位側に近づける（下げる）ことができる。これによって、吊金具の耐震性が付与され、該吊金具の揺れに対する耐震強度が強化されることになる。